(57)【要約】      （修正有）【課題】誤認識したページを印刷後に挿入する作業等が不要、または、印刷後の用紙の除去等の作業が不要である原稿読取装置を提供する。【解決手段】原稿の画像イメージを読み取る読取部４と、読み取った原稿が白紙か否かを判定する判定部５と、白紙と判定したページの画像を抽出して表示できるとともにユーザによる操作を行う表示／操作部６と、読み取った画像イメージの画像データを出力する出力部７とを備え、白紙と判定して表示／操作部６に一覧表示された各ページをユーザ操作により選択して出力部７から出力して印刷できるようにした。【選択図】      図１
2004235680.tif 000002
【特許請求の範囲】
【請求項１】
原稿の画像イメージを読み取る読取部と、読み取った原稿が白紙か否かを判定する判定部と、白紙と判定したページの画像を抽出して表示できる表示部と、ユーザによる操作を行う操作部と、読み取った画像イメージの画像データを出力する出力部とを備え、白紙と判定して前記表示部に表示された各ページを前記操作部の操作により選択して前記出力部により出力できることを特徴とする原稿読取装置。
【請求項２】
白紙でないと判定したページの画像を抽出して前記表示部に表示し、前記操作部の操作により選択して画像データの出力を禁止できることを特徴とする請求項１に記載の原稿読取装置。
【請求項３】
前記判定部により判定された各ページの縮小画像を前記表示部により一覧表示したことを特徴とする請求項１または請求項２に記載の原稿読取装置。
【請求項４】
前記読取部によって原稿の両面の画像イメージを読み取ることを特徴とする請求項１〜請求項３のいずれかに記載の原稿読取装置。
【請求項５】
１枚の原稿を読み取る毎に表面及び裏面の白紙判定の結果を前記表示部に表示したことを特徴とする請求項４に記載の原稿読取装置。
【請求項６】
前記表示部によって原稿の表面の画像と裏面の画像を別画面で表示できることを特徴とする請求項４または請求項５に記載の原稿読取装置。
【発明の詳細な説明】
【０００１】
【発明の属する技術分野】
本発明は、原稿を走査して画像イメージを読み取って画像データを出力するスキャナ、複写機、ファクシミリ装置、複合プリンタ等の原稿読取装置に関する。
【０００２】
【従来の技術】
従来の原稿読取装置は光学式読み取りにより原稿を走査して画像イメージとして読み取り、読み取った画像イメージの画像データを出力して印刷する。これにより、原稿の複写等を行うことができる。特許文献１には原稿が白紙であるか否かを判定する判定手段を設けた原稿読取装置が開示されている。
【０００３】
この判定手段は原稿に照射された光の反射光の輝度信号によって、画素毎に輝度が所定値よりも小さいと黒と判定し、黒と判定される画素数が所定数よりも少ない場合に白紙と判定する。ユーザは白紙と判定されるページの出力を予め禁止できるようになっている。これにより、無駄な印刷用紙の削減や白紙を除去するユーザの負担軽減を図ることができる。
【０００４】
【特許文献１】
特開平７−２６４３６３号公報（第２頁−第１２頁、第１図）
【０００５】
【発明が解決しようとする課題】
しかしながら、上記従来の原稿読取装置によると、１ページ内に外枠の線のみが記載された情報量が少ない原稿を読み取った場合等に判定手段によって白紙と誤認識することがある。これにより、出力すべき画像データが出力されず、印刷後に除去されたページの挿入を必要とするためユーザの利便性が悪い問題があった。
【０００６】
また、近年原稿の両面を読み取ることのできる原稿読取装置が普及してきている。原稿の両面を読み取る際に、裏面に情報が掲載されている原稿と情報が掲載されていない原稿とが混在すると、白紙の画像データの出力を禁止することによりページを詰めて印刷して用紙を削減することができる。
【０００７】
この時、出力すべきページが判定手段により誤認識すると後で該ページを挿入することができない。また、白紙から成る一部の裏面のページを表面のページに隣接させてメモ用等の余白として残すことができない。従って、ユーザの利便性が更に悪くなる問題もあった。
【０００８】
本発明は、ユーザの利便性を向上することのできる原稿読取装置を提供することを目的とする。
【０００９】
【課題を解決するための手段】
上記目的を達成するために本発明は、原稿の画像イメージを読み取る読取部と、読み取った原稿が白紙か否かを判定する判定部と、白紙と判定したページの画像を抽出して表示できる表示部と、ユーザによる操作を行う操作部と、読み取った画像イメージの画像データを出力する出力部とを備え、白紙と判定して前記表示部に表示された各ページを前記操作部の操作により選択して前記出力部により出力できることを特徴としている。
【００１０】
この構成によると、原稿の画像イメージを読取部で読み取り、判定部で白紙か否かが判定される。白紙と判定されたページは表示部に例えば一覧表示され、操作部によるユーザ操作によってページ毎に画像データを出力するか否かが設定される。例えば、記載された情報量が少なく白紙と誤認識されたページや白紙として残しておきたいページを出力するように設定することができる。白紙と判定して出力するように設定されたページは白紙でないと判定されたページとともに出力部により画像データが出力され、印刷等が行われる。
【００１１】
また本発明は、上記構成の原稿読取装置において、白紙でないと判定したページの画像を抽出して前記表示部に表示し、前記操作部の操作により選択して画像データの出力を禁止できることを特徴としている。この構成によると、白紙でないと判定されたページは表示部に例えば一覧表示され、操作部によるユーザ操作によってページ毎に画像データの出力を禁止するか否かが設定される。例えば、情報が記載されない色付きの用紙から成って白紙でないと誤認識されたページの出力が禁止される。
【００１２】
また本発明は、上記構成の原稿読取装置において、前記判定部により判定された各ページの縮小画像を前記表示部により一覧表示したことを特徴としている。この構成によると、白紙と判定されたページの縮小画像の一覧が表示部に表示される。また、白紙でないと判定されたページの縮小画像の一覧が表示部に表示される。ページ数が多くなると表示部の画面を切り替えて一覧表示される。
【００１３】
また本発明は、上記構成の原稿読取装置において、前記読取部によって原稿の両面の画像イメージを読み取ることを特徴としている。この構成によると、原稿の表面の画像イメージと裏面の画像イメージとが読み取られ、例えば裏面が白紙のページは詰めて出力される。この時、白紙と判定されたページをユーザの選択により残して出力することができる。
【００１４】
また本発明は、上記構成の原稿読取装置において、１枚の原稿を読み取る毎に表面及び裏面の白紙判定の結果を前記表示部に表示したことを特徴としている。この構成によると、リアルタイムに白紙判定の誤認識をチェックできる。
【００１５】
また本発明は、上記構成の原稿読取装置において、前記表示部によって原稿の表面の画像と裏面の画像を別画面で表示できることを特徴としている。
【００１６】
【発明の実施の形態】
以下に本発明の実施形態を図面を参照して説明する。図１は一実施形態の原稿読取装置の構成を示すブロック図である。原稿読取装置１は各部を制御するＣＰＵ２を備えている。ＣＰＵ２には給送部３、読取部４、判定部５、表示／操作部６、出力部７、記憶部８、印刷部９が接続されている。
【００１７】
給送部３は給紙トレイ等に載置された原稿を１枚ずつ給送する。読取部４は光を出射する光源、光源の出射光を給送部３の給送方向に直交する方向に走査する走査手段、原稿の反射光を受光して電気信号に変換するＣＣＤ等の受光素子を有している。
【００１８】
これにより、給送部３により給送される原稿に光を照射して走査し、反射光の輝度を捉えて画素毎の輝度信号により画像イメージを作成して出力する。尚、本実施形態の読取部４は原稿の両面の画像を読み取るように原稿を挟んで両側に一対設けられている。
【００１９】
判定部５は電子回路或いはソフトウェアにより構成されており、読取部４から出力される画像イメージによって白紙か否かを判定する。白紙か否かは、例えば画素毎に輝度が所定値よりも小さいと黒と判定し、黒と判定される画素数が所定数よりも少ない場合に白紙と判定することにより行われる。
【００２０】
表示／操作部６は表示画面上を操作できるタッチパネル等により構成される。表示／操作部６によって読取部４で読み取った画像イメージの縮小画像や設定メニューを表示するとともに、ユーザ操作により原稿読み取りの条件設定等を行うことができる。液晶パネル等から成る表示部と、操作パネルから成る操作部とを分離して設けても良い。
【００２１】
出力部７は読取部４で読み取った画像イメージの画像データを所定条件で抽出して印刷部９に出力する。これにより、印刷部９は出力部７から受け取ったデータに基づいて印刷を行い原稿が複写される。原稿読取装置１に接続されたパーソナルコンピュータ等に出力部７から画像データを出力することによって画像の取り込みを行うこともできる。記憶部７はＲＡＭやＨＤＤ等から成り、読取部３で読み取った画像のデータや表示／操作部６によりユーザ設定されたデータが保存される。
【００２２】
図２は上記構成の原稿読取装置１の動作を示すフローチャートである。ステップ＃１１では給送部３により１枚の原稿が給送され、読取部４によって原稿の両面の画像イメージが読み取られる。ステップ＃１２では読取部４で読み取った画像イメージが記憶部８に記憶される。ステップ＃１３では判定部５によって読み取った原稿の表面及び裏面が白紙か否かが判定される。
【００２３】
ステップ＃１４では表示／操作部６に判定部５の判定結果が表示される。図３はこの時に表示／操作部６に表示される「白紙自動判定読み取り」の表示画面３０を示している。表示画面３０には読み取った原稿の表面の縮小画像２１ａと裏面の縮小画像２１ｂがページ番号２０とともに表示される。縮小画像２１ａ、２１ｂには判定結果が白紙でないことを示す「○」や白紙であることを示す「×」等の印が付加されている。これにより、ユーザは判定部５の誤認識をリアルタイムに確認することができるようになっている。
【００２４】
ステップ＃１５では給送部３により全ての原稿が給送されたか否かが判断される。読み取っていない原稿がある場合はステップ＃１１に戻ってステップ＃１１〜＃１５が繰り返し行われる。全ての原稿の読み取りが終了すると、ステップ＃１６に移行する。
【００２５】
ステップ＃１６では表示／操作部６に白紙判定の結果が集計表示される。図４はこの時に表示／操作部６に表示される「白紙判定集計結果」の表示画面３１を示している。表示画面３１にはフレーム１２、１３が設けられ、それぞれ原稿の表面及び裏面の白紙判定の結果が集計表示される。
【００２６】
フレーム１２内には表面の縮小画像を一覧表示する白紙一覧ボタン１４が設けられる。フレーム１３内には裏面の縮小画像を一覧表示する白紙一覧ボタン１５が設けられる。表示画面３１の下部には原稿の全ページの縮小画像を一覧表示させる全ページ編集ボタン１６が設けられる。また、表示画面３１の上部には出力部７から出力されたデータに基づいて印刷部９により印刷する印刷開始ボタン１７が設けられている。
【００２７】
ステップ＃１７では全ページ編集ボタン１６の操作によって全ページを一覧表示するか否かが判断される。全ページ編集ボタン１６が操作された場合はステップ＃２１に移行し、全ページ編集ボタン１６が操作されない場合はステップ＃１８に移行する。
【００２８】
ステップ＃１８では白紙一覧ボタン１４または白紙一覧ボタン１５の操作によって表面または裏面を一覧表示するか否かが判断される。白紙一覧ボタン１４または白紙一覧ボタン１５が操作された場合はステップ＃１９に移行し、白紙一覧ボタン１４及び白紙一覧ボタン１５が操作されない場合はステップ＃２３に移行する。
【００２９】
ステップ＃２３では印刷開始ボタン１７が操作されたか否かが判断される。印刷開始ボタン１７が操作されない場合はステップ＃１６に戻り、全ページ編集ボタン１６、白紙一覧ボタン１４、１５、印刷開始ボタン１７のいずれかが操作されるまで待機する。印刷開始ボタン１７が操作されると、判定部５により白紙でないと判定したページの画像データが出力部７から印刷部９に出力される。これにより、ステップ＃２４で印刷部９により白紙と判定したページを省いて印刷が行われる。
【００３０】
ステップ＃１６〜＃２３の待機状態から白紙一覧ボタン１４または白紙一覧ボタン１５が操作されるとステップ＃１９に移行する。ステップ＃１９では操作された白紙一覧ボタン１４、１５に応じて表面または裏面の縮小画像が表示／操作部６に一覧表示される。図５は白紙一覧ボタン１５の操作により裏面を表示／操作部６に一覧表示する「白紙判定ページ一覧」の表示画面３２を示している。尚、白紙一覧ボタン１４の操作によっても同様の画面により表面の縮小画像が表示される。
【００３１】
表示画面３２には裏面の縮小画像２１ｂがページ番号２０とともに一覧表示される。表示画面３２の上部には前述の図４に示す「白紙判定集計結果」の表示画面３１に戻る設定終了ボタン１８が設けられる。表示画面３２の両側部にはページ送りボタン１９ａ、１９ｂが設けられる。
【００３２】
ページ送りボタン１９ａ、１９ｂの操作によって一画面に表示できない他のページの縮小画像２１ｂが表示される。各縮小画像２１ｂの上方には、判定部５により判定した白紙であることを示す「×」や白紙でないことを示す「○」（不図示）等のラベル２２が表示されている。
【００３３】
ステップ＃２０において、各縮小画像２１ｂまたは各ラベル２２を押圧して操作すると、ラベル２２の状態を切り替えて設定することができる。即ち、「×」のラベル２２は「○」に変更され、「○」のラベル２２は「×」に変更され、変更した結果が記憶部８に記憶される。これにより、白紙と判定されたページの画像データを出力することができるとともに、白紙でないと判定されたページの画像データの出力を禁止することができる。
【００３４】
各ページの出力を設定すると、設定終了ボタン１８の操作によって図４の「白紙判定集計結果」の表示画面３１に戻り、ステップ＃２３で印刷開始ボタン１７が操作されたか否かが判断される。印刷開始ボタン１７が操作されると、判定部５の判定結果及びユーザ設定により「○」のラベル２２が付加されているページの画像データが記憶部８から取り出され、出力部７から印刷部９に出力される。これにより、ステップ＃２４で「×」のラベル２２が付加されているページを省いて印刷部９により印刷が行われる。
【００３５】
また、ステップ＃１６〜＃２３の待機状態から全ページ編集ボタン１６が操作されるとステップ＃２１に移行する。ステップ＃２１では全ページの縮小画像が表示／操作部６に一覧表示される。図６はこの時に表示／操作部６の一覧表示する「全ページ一覧編集」の表示画面３３を示している。
【００３６】
表示画面３３は表示画面３２（図５参照）と同様に、上部に設定終了ボタン１８が設けられ、両側部にはページ送りボタン１９ａ、１９ｂが設けられる。そして、表面及び裏面の縮小画像２１ａ、２１ｂがページ番号２０とともに一覧表示される。各縮小画像２１ａ、２１ｂの上方には、判定部５により判定した白紙であることを示す「×」や白紙でないことを示す「○」等のラベル２２が表示されている。
【００３７】
ステップ＃２２において、各縮小画像２１ａ、２１ｂまたは各ラベル２２の操作によってラベル２２を切り替える設定を行うと、上記と同様に、白紙と判定されたページの画像データを出力することができるとともに、白紙でないと判定されたページの画像データの出力を禁止することができる。そして、ステップ＃２３、＃２４で設定に応じて印刷が行われる。
【００３８】
本実施形態によると、判定部５により白紙と判断したページを一覧表示し、画像データを出力するページをユーザ設定できるので、判定部５により白紙と誤認識したページを印刷することができる。従って、誤認識したページを印刷後に挿入する作業等が不要となりユーザの利便性を向上させることができる。また、白紙と判定されたページを一覧表示するので、判定部５の誤認識を原稿の全ページについて確認する必要がなく、ユーザの利便性をより向上させることができる。
【００３９】
尚、白紙と判定されない原稿の一覧を表示して、ユーザ操作によって画像データの出力を禁止できるようにしてもよい。これにより、情報が掲載された原稿を白紙と誤認した場合や、色の付いた用紙が白紙と判定されない場合等に画像データの出力を防止することができる。
【００４０】
また、読取部４によって原稿の両面の画像イメージを読み取るので、裏面に情報が掲載されている原稿と情報が掲載されていない原稿とが混在しても判定部５により白紙と誤認識してページを後で挿入できない問題を解消することができる。加えて、白紙から成る一部の裏面のページをユーザ設定により表面のページに隣接させてメモ用等の余白として残すことができる。従って、ユーザの利便性をより向上させることができる。
【００４１】
また、原稿の表面の画像と裏面の画像を別画面で表示するので、白紙ページの印刷や白紙でないページの印刷禁止を行うページを全ページから探す必要がなく迅速な設定操作を行うことができる。
【００４２】
本実施形態において、両面読み取り可能な原稿読取装置１について説明しているが、片面読み取りの原稿読取装置の場合であっても白紙と判定したページの一覧を表示して出力を禁止することができる。また、印刷部９を有する原稿読取装置１について説明しているが、印刷部９が設けられずに画像データを出力部７から出力するスキャナ等であってもよい。
【００４３】
【発明の効果】
本発明によると、判定部により白紙と判断したページを表示し、画像データを出力するページをユーザ設定できるので、判定部により白紙と誤認識したページを印刷することができる。従って、誤認識したページを印刷後に挿入する作業等が不要となりユーザの利便性を向上させることができる。また、白紙と判定されたページを一覧表示するので、判定部の誤認識を原稿の全ページについて確認する必要がなく、ユーザの利便性をより向上させることができる。
【００４４】
また本発明によると、判定部により白紙でないと判定したページを一覧表示し、画像データの出力を禁止するページをユーザ設定できるので、情報が掲載された原稿を白紙と誤認した場合や色付きの用紙を白紙でないと誤認識した場合にユーザ設定により画像データの出力を禁止することができる。従って、印刷後の用紙の除去等の作業が不要となりユーザの利便性を向上することができる。
【００４５】
また本発明によると、原稿の両面の画像イメージを読み取るので、裏面に情報が掲載されている原稿と情報が掲載されていない原稿とが混在しても判定部により白紙と誤認識してページを後で挿入できない問題を解消することができる。また、白紙から成る一部の裏面のページをユーザ設定により表面のページに隣接させてメモ用等の余白として残すことができる。従って、ユーザの利便性を更に向上させることができる。
【図面の簡単な説明】
【図１】は、本発明の原稿読取装置の構成を示すブロック図である。
【図２】は、本発明の原稿読取装置の動作を示すフローチャートである。
【図３】は、本発明の原稿読取装置の表示部の白紙自動判定読み取りの表示画面を示す図である。
【図４】は、本発明の原稿読取装置の表示部の白紙判定集計結果の表示画面を示す図である。
【図５】は、本発明の原稿読取装置の表示部の白紙判定ページ一覧の表示画面を示す図である。
【図６】は、本発明の原稿読取装置の表示部の全ページ一覧・編集の表示画面を示す図である。
【符号の説明】
１    原稿読取装置
２    ＣＰＵ
３    給送部
４    読取部
５    判定部
６    表示／操作部
７    出力部
８    記憶部
９    印刷部
２１ａ、２１ｂ  縮小画像
２２    ラベル
【図１】
2004235680.tif 000003
【図２】
2004235680.tif 000004
【図３】
2004235680.tif 000005
【図４】
2004235680.tif 000006
【図５】
2004235680.tif 000007
【図６】
2004235680.tif 000008